【手続補正書】
【提出日】令和3年9月7日(2021.9.7)
【手続補正１】
【補正対象書類名】特許請求の範囲
【補正対象項目名】全文
【補正方法】変更
【補正の内容】
【特許請求の範囲】
【請求項１】
１つ以上のオートクレーブ可能バッテリであって、各バッテリはバッテリコントローラを備える、１つ以上のオートクレーブ可能バッテリと、
オートクレーブ可能容器であって、
複数のレセプタクルであって、各レセプタクルは前記バッテリのうちの１つを受け入れるような形状である、複数のレセプタクルと、
複数の突出部であって、各突出部は対応するレセプタクルと位置合わせされる、複数の突出部と
を備える、オートクレーブ可能容器と、
充電デバイスであって、
複数の充電ベイであって、各充電ベイは前記オートクレーブ可能容器の突出部を受け入れるような形状であり、該充電ベイのうちの１つは、
前記オートクレーブ可能容器のレセプタクル内に配置されたバッテリが前記充電ベイの近接範囲内にあることに応じて、該バッテリのバッテリコントローラとの通信を確立するように構成された第１のアンテナと、
前記レセプタクル内に配置された前記バッテリに充電電力を提供するように構成された第２のアンテナと
を備える、複数の充電ベイと、
充電コントローラであって、
前記第１のアンテナが、前記バッテリが前記充電ベイの前記近接範囲内にあることに応じて該バッテリとの通信を確立したか否かを検出し、
前記第１のアンテナが前記バッテリとの通信を確立したことを検出することに応じて、前記第２のアンテナを介して前記バッテリに充電電力を提供する、
ように構成された、充電コントローラと
を備える、充電デバイスと
を備えてなる、滅菌可能な容器内でバッテリを充電するシステム。
【請求項２】
前記オートクレーブ可能容器は、該オートクレーブ可能容器が、微生物が入らないように密閉されたままである間に、滅菌容積部を提供するように構成されている、請求項１に記載のシステム。
【請求項３】
前記充電デバイスは、前記オートクレーブ可能容器が、微生物が入らないように密閉されたままである間に、該オートクレーブ可能容器内に配置された前記バッテリに充電電力を提供するように構成されている、請求項１又は２に記載のシステム。
【請求項４】
前記バッテリは、該バッテリの特徴を示す視覚インジケータを備える、請求項１〜３のいずれか一項に記載のシステム。
【請求項５】
前記オートクレーブ可能容器の一部は、前記バッテリが該オートクレーブ可能容器内に配置され、かつ、該オートクレーブ可能容器が、微生物が入らないように密閉されたままであるとき、前記視覚インジケータが前記オートクレーブ可能容器の前記一部を通して可視であるのを可能にするように、少なくとも部分的に透明である、請求項４に記載のシステム。
【請求項６】
前記充電デバイスは、前記充電コントローラが前記第２のアンテナを選択的にアクティベート及びディアクティベートすることができるようにするスイッチング素子を備え、前記充電コントローラは、前記第１のアンテナが前記バッテリコントローラとの通信を確立する間、前記第２のアンテナをディアクティベートするように前記スイッチング素子を制御するように構成されている、請求項１〜５のいずれか一項に記載のシステム。
【請求項７】
前記充電デバイスは、前記充電コントローラが前記第１のアンテナを選択的にアクティベート及びディアクティベートすることができるようにするスイッチング素子を備え、前記充電コントローラは、前記第２のアンテナが前記バッテリに充電電力を提供する間、前記第１のアンテナをディアクティベートするように前記スイッチング素子を制御するように構成されている、請求項１〜６のいずれか一項に記載のシステム。
【請求項８】
前記バッテリコントローラは、
前記バッテリと前記第１のアンテナとの間に通信が確立されるまで、該バッテリを低電力状態にし、
通信が確立されることに応じて、前記バッテリが前記低電力状態から出るようにするように構成されている、請求項１〜７のいずれか一項に記載のシステム。
【請求項９】
前記充電コントローラは、
前記バッテリが前記低電力状態から出たという指示を受け取り、
前記受け取った指示に応じて前記バッテリに充電電力を提供するように構成されている、請求項８に記載のシステム。
【請求項１０】
前記バッテリは、以前に医療デバイスに結合されており、該バッテリは、該バッテリ及び前記医療デバイスのうちの少なくとも一方のデータを記憶するメモリデバイスを備える、請求項１〜９のいずれか一項に記載のシステム。
【請求項１１】
前記メモリデバイスは、前記バッテリコントローラとの通信を必要とすることなく、前記充電デバイスの前記第１のアンテナによって直接読出し可能である、請求項１０に記載のシステム。
【請求項１２】
前記メモリデバイスは、前記バッテリが、電力が供給されない状態にある間、前記充電デバイスの前記第１アンテナを介して直接読出し可能である、請求項１０に記載のシステム。
【請求項１３】
前記第１のアンテナは、前記バッテリコントローラとの通信を確立した後、該バッテリコントローラからバッテリ認証データを受信するように更に構成され、前記充電コントローラは、前記第２のアンテナを介して前記バッテリに充電電力を提供する前に、前記バッテリ認証データを使用して前記バッテリを認証するように更に構成されている、請求項１〜１２のいずれか一項に記載のシステム。
【請求項１４】
前記バッテリは、前記バッテリコントローラに結合されたパッシブ通信デバイスを更に備え、
前記第１のアンテナは、前記バッテリが前記充電ベイの近接範囲内にあることに応じて該バッテリの前記パッシブ通信デバイスを励磁し、該励磁されたパッシブ通信デバイスを介して前記バッテリコントローラとの通信を確立するように更に構成され、
前記充電コントローラは、前記バッテリが前記充電ベイの近接範囲内にあることに応じて該バッテリの前記パッシブ通信デバイスを励磁し、該励磁されたパッシブ通信デバイスを介して前記バッテリコントローラとの通信を確立するように、前記第１のアンテナを制御するように更に構成されている、請求項１〜１３のいずれかに記載のシステム。
【請求項１５】
１つ以上のオートクレーブ可能バッテリを充電するシステムを動作させる方法であって、該システムは、１つ以上のバッテリであって、各バッテリはバッテリコントローラを備える、１つ以上のバッテリと、バッテリを受け入れるような形状の複数のレセプタクル、及び、対応するレセプタクルと位置合わせされる複数の突出部を備えるオートクレーブ可能容器と、充電コントローラ及び１つ以上の充電ベイを備える充電デバイスであって、各充電ベイは突出部を受け入れるような形状であり、各充電ベイは第１のアンテナ及び第２のアンテナを備える、充電デバイスとを備えており、該方法は、
前記オートクレーブ可能容器の前記複数のレセプタクルのうちの１つのレセプタクル内にバッテリを配置するステップと、
前記レセプタクルに対応する突出部が充電ベイのうちの１つ以上の充電ベイに隣接し、前記バッテリが前記充電ベイの近接範囲内に配置されるように、前記充電デバイスの上に前記オートクレーブ可能容器を配置するステップと、
前記オートクレーブ可能容器の前記レセプタクル内に配置された前記バッテリが前記充電ベイの前記近接範囲内にあることに応じて、前記第１のアンテナにより、該バッテリの前記バッテリコントローラと通信するステップと、
前記充電コントローラにより、前記第１のアンテナが前記バッテリとの通信を確立したことを検出するステップと、
前記第１のアンテナが前記レセプタクル内に配置された前記バッテリとの通信を確立したことを検出することに応じて、前記第２のアンテナにより、前記バッテリに充電電力を提供するステップと
を含んでなる、オートクレーブ可能バッテリを充電するシステムを動作させる方法。
【手続補正２】
【補正対象書類名】明細書
【補正対象項目名】０１１４
【補正方法】変更
【補正の内容】
【０１１４】
この記載した説明は、例を用いて、本開示の実施形態を説明し、任意のデバイス又はシステムを作成及び使用すること及び任意の組み込まれた方法を実施すること等、いかなる当業者も実施形態を実施することができるようにする。本開示の特許可能な範囲は、特許請求の範囲によって定義され、当業者に想到する他の例を含むことができる。こうした他の例は、特許請求の範囲の文字通りの文言とは異ならない構造的要素を有する場合、又は、特許請求の範囲の文字通りの文言からわずかな相違で均等な構造的要素を含む場合、特許請求の範囲内にあるように意図される。
なお、本願の出願当初の開示事項を維持するために、本願の出願当初の請求項１〜３５の記載内容を以下に追加する。
（請求項１）
１つ以上のオートクレーブ可能バッテリであって、各バッテリはバッテリコントローラを備える、１つ以上のオートクレーブ可能バッテリと、
オートクレーブ可能容器であって、
複数のレセプタクルであって、各レセプタクルは前記バッテリのうちの１つを受け入れるような形状である、複数のレセプタクルと、
複数の突出部であって、各突出部は対応するレセプタクルと位置合わせされる、複数の突出部と
を備える、オートクレーブ可能容器と、
充電デバイスであって、
複数の充電ベイであって、各充電ベイは前記容器の突出部を受け入れるような形状であり、該充電ベイのうちの１つは、
前記容器のレセプタクル内に配置されたバッテリが前記充電ベイの近接範囲内にあることに応じて、該バッテリのバッテリコントローラとの通信を確立するように構成された第１のアンテナと、
前記レセプタクル内に配置された前記バッテリに充電電力を提供するように構成された第２のアンテナと
を備える、複数の充電ベイと、
充電コントローラであって、
前記第１のアンテナが、前記バッテリが前記充電ベイの前記近接範囲内にあることに応じて該バッテリとの通信を確立したか否かを検出し、
前記第１のアンテナが前記バッテリとの通信を確立したことを検出することに応じて、前記第２のアンテナを介して前記バッテリに充電電力を提供する、
ように構成された、充電コントローラと
を備える、充電デバイスと
を備えてなる、滅菌可能な容器内でバッテリを充電するシステム。
（請求項２）
前記容器は、該容器が、微生物が入らないように密閉されたままである間に、滅菌容積部を提供するように構成されている、請求項１に記載のシステム。
（請求項３）
前記充電デバイスは、前記容器が、微生物が入らないように密閉されたままである間に、該容器内に配置された前記バッテリに充電電力を提供するように構成されている、請求項１又は２に記載のシステム。
（請求項４）
前記バッテリは、該バッテリの特徴を示す視覚インジケータを備える、請求項１〜３のいずれか一項に記載のシステム。
（請求項５）
前記容器の一部は、前記バッテリが該容器内に配置され、かつ、該容器が、微生物が入らないように密閉されたままであるとき、前記視覚インジケータが前記容器の前記一部を通して可視であるのを可能にするように、少なくとも部分的に透明である、請求項４に記載のシステム。
（請求項６）
前記充電デバイスは、前記充電コントローラが前記第２のアンテナを選択的にアクティベート及びディアクティベートすることができるようにするスイッチング素子を備え、前記充電コントローラは、前記第１のアンテナが前記バッテリコントローラとの通信を確立する間、前記第２のアンテナをディアクティベートするように前記スイッチング素子を制御するように構成されている、請求項１〜５のいずれか一項に記載のシステム。
（請求項７）
前記充電デバイスは、前記充電コントローラが前記第１のアンテナを選択的にアクティベート及びディアクティベートすることができるようにするスイッチング素子を備え、前記充電コントローラは、前記第２のアンテナが前記バッテリに充電電力を提供する間、前記第１のアンテナをディアクティベートするように前記スイッチング素子を制御するように構成されている、請求項１〜６のいずれか一項に記載のシステム。
（請求項８）
前記バッテリコントローラは、
前記バッテリと前記第１のアンテナとの間に通信が確立されるまで、該バッテリを低電力状態にし、
通信が確立されることに応じて、前記バッテリが前記低電力状態から出るようにするように構成されている、請求項１〜７のいずれか一項に記載のシステム。
（請求項９）
前記充電コントローラは、
前記バッテリが前記低電力状態から出たという指示を受け取り、
前記受け取った指示に応じて前記バッテリに充電電力を提供するように構成されている、請求項８に記載のシステム。
（請求項１０）
前記バッテリは、以前に医療デバイスに結合されており、該バッテリは、該バッテリ及び前記医療デバイスのうちの少なくとも一方のデータを記憶するメモリデバイスを備える、請求項１〜９のいずれか一項に記載のシステム。
（請求項１１）
前記メモリデバイスは、前記バッテリコントローラとの通信を必要とすることなく、前記充電デバイスの前記第１のアンテナによって直接読出し可能である、請求項１０に記載のシステム。
（請求項１２）
前記第１のアンテナは、前記バッテリコントローラとの通信を確立した後、該バッテリコントローラからバッテリ認証データを受信するように更に構成され、前記充電コントローラは、前記第２のアンテナを介して前記バッテリに充電電力を提供する前に、前記バッテリ認証データを使用して前記バッテリを認証するように更に構成されている、請求項１〜１１のいずれか一項に記載のシステム。
（請求項１３）
１つ以上のオートクレーブ可能バッテリを充電するシステムを動作させる方法であって、該システムは、１つ以上のバッテリであって、各バッテリはバッテリコントローラを備える、１つ以上のバッテリと、バッテリを受け入れるような形状の複数のレセプタクル、及び、対応するレセプタクルと位置合わせされる複数の突出部を備えるオートクレーブ可能容器と、充電コントローラ及び１つ以上の充電ベイを備える充電デバイスであって、各充電ベイは突出部を受け入れるような形状であり、各充電ベイは第１のアンテナ及び第２のアンテナを備える、充電デバイスとを備え、該方法は、
前記容器の前記複数のレセプタクルのうちの１つのレセプタクル内にバッテリを配置するステップと、
前記レセプタクルに対応する突出部が充電ベイのうちの１つ以上の充電ベイに隣接し、前記バッテリが前記充電ベイの近接範囲内に配置されるように、前記充電デバイスの上に前記容器を配置するステップと、
前記容器の前記レセプタクル内に配置された前記バッテリが前記充電ベイの前記近接範囲内にあることに応じて、前記第１のアンテナにより、該バッテリの前記バッテリコントローラと通信するステップと、
前記充電コントローラにより、前記第１のアンテナが前記バッテリとの通信を確立したことを検出するステップと、
前記第１のアンテナが前記レセプタクル内に配置された前記バッテリとの通信を確立したことを検出することに応じて、前記第２のアンテナにより、前記バッテリに充電電力を提供するステップと
を含んでなる、充電するシステムを動作させる方法。
（請求項１４）
前記第２のアンテナを使用して前記バッテリに充電電力を提供する前に、内部に前記バッテリが配置されている前記容器を滅菌するステップを更に含む、請求項１３に記載の方法。
（請求項１５）
前記第２のアンテナを使用して前記バッテリに充電電力を提供した後に、内部に前記バッテリが配置されている前記容器を滅菌するステップを更に含む、請求項１３又は１４に記載の方法。
（請求項１６）
前記バッテリは、該バッテリの特徴を示す視覚インジケータを備え、前記方法は、内部に前記バッテリが配置されている前記容器を滅菌するステップと、前記視覚インジケータを使用して前記バッテリのステータスを示すステップとを更に含む、請求項１３〜１５のいずれか一項に記載の方法。
（請求項１７）
前記容器の一部は少なくとも部分的に透明であり、前記方法は、前記バッテリが該容器内に配置され、かつ、該容器が、微生物が入らないように密閉されたままであるとき、前記容器の前記一部を通して前記バッテリの前記ステータスを表示するステップを更に含む、請求項１６に記載の方法。
（請求項１８）
前記充電デバイスは、前記第２のアンテナを選択的にアクティベート及びディアクティベートするスイッチング素子を備え、前記方法は、前記第１のアンテナが前記バッテリコントローラとの通信を確立する間、前記スイッチング素子により、前記第２のアンテナをディアクティベートするステップを更に含む、請求項１３〜１７のいずれか一項に記載の方法。
（請求項１９）
前記充電デバイスは、前記第２のアンテナを選択的にアクティベート及びディアクティベートするスイッチング素子を備え、前記方法は、前記第２のアンテナが前記バッテリに充電電力を提供する間、前記スイッチング素子により、前記第１のアンテナをディアクティベートするステップを更に含む、請求項１３〜１８のいずれか一項に記載の方法。
（請求項２０）
前記第１のアンテナが前記バッテリコントローラとの通信を確立した後、該第１のアンテナにより、該バッテリコントローラからバッテリ認証データを受信するステップと、
前記第２のアンテナを介して前記バッテリに充電電力を提供する前に、前記充電コントローラにより、前記バッテリ認証データを使用して前記バッテリを認証するステップと
を更に含む、請求項１３〜１９のいずれか一項に記載の方法。
（請求項２１）
前記バッテリと前記第１のアンテナとの間に通信が確立されるまで、前記バッテリを低電力状態にするステップと、
通信が確立されることに応じて、前記バッテリが前記低電力状態から出るようにするステップと
を含む、請求項１３〜２０のいずれか一項に記載の方法。
（請求項２２）
前記バッテリが前記低電力状態から出たという指示を受け取るステップと、
前記受け取った指示に応じて前記第２のアンテナにより前記バッテリに充電電力を提供するステップと
を更に含む、請求項２１に記載の方法。
（請求項２３）
前記バッテリは、以前に医療デバイスに結合されており、該バッテリはメモリデバイスを備え、前記方法は、前記バッテリ及び前記医療デバイスのうちの少なくとも一方のデータを前記メモリデバイスに記憶するステップを更に含む、請求項１３〜２２のいずれか一項に記載の方法。
（請求項２４）
前記バッテリが、電力が供給されていない状態にある間、前記第１アンテナにより、前記メモリデバイスから前記データを読み出すステップを更に含む、請求項２３に記載の方法。
（請求項２５）
バッテリコントローラと、該バッテリコントローラに結合されたパッシブ通信デバイスとを備えるオートクレーブ可能バッテリと、
前記バッテリを入れる滅菌バリアと、
充電デバイスであって、
充電ベイであって、
前記バッテリの前記パッシブ通信デバイスを励磁し、前記励磁されたパッシブ通信デバイスを介して前記バッテリコントローラとの通信を確立するように構成された第１のアンテナと、
前記バッテリに充電電力を提供するように構成された第２のアンテナと
を備える、充電ベイと、
充電コントローラであって、
前記バッテリの前記パッシブ通信デバイスを励磁し、前記第２のアンテナがディアクティベートされている間に、前記励磁されたパッシブ通信デバイスを介して前記バッテリコントローラとの通信を確立するように、前記第１のアンテナを制御し、
前記第１のアンテナが前記バッテリコントローラとの通信を確立した後に前記第２のアンテナをアクティベートし、
前記第２のアンテナを介して前記バッテリに充電電力を提供する
ように構成された、充電コントローラと
を備える、充電デバイスと
を備えてなる、オートクレーブ可能バッテリを充電するシステム。
（請求項２６）
前記バッテリは、該バッテリの特徴を示す視覚インジケータを備える、請求項２５に記載のシステム。
（請求項２７）
前記滅菌バリアの一部は、前記バッテリが該滅菌バリア内に入れられ、かつ、該滅菌バリアが、微生物が入らないように密閉されたままであるとき、前記視覚インジケータが、前記滅菌バリアの前記一部を通して可視であるのを可能にするように、少なくとも部分的に透明である、請求項２６に記載のシステム。
（請求項２８）
バッテリを充電するシステムを動作させる方法であって、該システムは、オートクレーブ可能バッテリであって、バッテリコントローラ及び該バッテリコントローラに結合された通信デバイスを備える、オートクレーブ可能バッテリと、該バッテリを入れる滅菌バリアと、充電コントローラ及び充電ベイを備える充電デバイスであって、該充電ベイが第１のアンテナ及び第２のアンテナを備える、充電デバイスとを備え、該方法は、
前記滅菌バリア内に前記バッテリを入れるステップと、
前記充電デバイスの上に前記滅菌バリアを配置するステップと、
前記第１のアンテナにより、前記バッテリの前記通信デバイスを励磁するステップと、
前記第１のアンテナにより、前記励磁された通信デバイスを介して前記バッテリコントローラとの通信を確立するステップと、
前記第１のアンテナが前記バッテリコントローラとの通信を確立した後、前記充電コントローラにより前記第２のアンテナをアクティベートするステップと、
前記第２のアンテナにより、前記バッテリに充電電力を提供するステップと
を含んでなる、バッテリを充電するシステムを動作させる方法。
（請求項２９）
１つ以上のオートクレーブ可能バッテリであって、各バッテリはバッテリコントローラを備える、１つ以上のオートクレーブ可能バッテリと、
前記１つ以上のバッテリを入れる１つ以上の滅菌バリアであって、前記１つ以上のバッテリのうちの１つのバッテリが該１つ以上の滅菌バリアのうちの１つの滅菌バリア内に入れられる、１つ以上の滅菌バリアと、
充電デバイスであって、
１つ以上の充電ベイであって、各充電ベイは、
前記滅菌バリア内に入れられた前記バッテリが前記充電ベイの近接範囲内にあることに応じて、該バッテリのバッテリコントローラとの通信を確立するように構成された第１のアンテナと、
前記滅菌バリア内に入れられた前記バッテリに充電電力を提供するように構成された第２のアンテナと
を備える、１つ以上の充電ベイと、
充電コントローラであって、
前記第１のアンテナが、前記バッテリが前記充電ベイの前記近接範囲内にあることに応じて該バッテリとの通信を確立したか否かを検出し、
前記第１のアンテナが前記バッテリとの通信を確立したことを検出することに応じて、前記第２のアンテナを介して前記バッテリに充電電力を提供する
ように構成された、充電コントローラと
を備える、充電デバイスと
を備えてなる、オートクレーブ可能バッテリを充電するシステム。
（請求項３０）
前記バッテリは、該バッテリの特徴を示す視覚インジケータを備える、請求項２９に記載のシステム。
（請求項３１）
前記滅菌バリアの一部は、前記バッテリが該滅菌バリア内に入れられ、かつ、該滅菌バリアが、微生物が入らないように密閉されたままであるとき、前記視覚インジケータが、前記滅菌バリアの前記一部を通して可視であるのを可能にするように、少なくとも部分的に透明である、請求項３０に記載のシステム。
（請求項３２）
パッシブ通信デバイスと、該パッシブ通信デバイスに結合されたバッテリコントローラとを備えるバッテリであって、該バッテリコントローラは該バッテリを低電力状態にするように構成されている、バッテリと、
前記バッテリを受け入れるような形状であるレセプタクルと、該レセプタクルに位置合わせされる突出部とを備えるオートクレーブ可能容器と、
充電デバイスであって、
前記突出部を受け入れるような形状である充電ベイであって、
１つのアンテナであって、
前記バッテリの前記パッシブ通信デバイスを励磁し、該励磁されたパッシブ通信デバイスを介して前記バッテリコントローラとの通信を確立し、
前記バッテリに充電電力を提供する
ように構成された、１つのアンテナと
を備える、充電ベイと、
充電コントローラであって、
前記バッテリの前記パッシブ通信デバイスを励磁し、前記バッテリコントローラが、通信が確立されることに応じて前記バッテリを前記低電力状態から出るように、前記励磁されたパッシブ通信デバイスを介して前記バッテリコントローラとの通信を確立するように、前記アンテナを制御し、
前記バッテリコントローラが、前記バッテリが前記低電力状態から出るようにすることに応じて、前記確立された通信を介して前記バッテリを認証するように認証データを受信し、
前記バッテリを認証することに応じて、前記アンテナを介して前記バッテリに充電電力を提供する、
ように構成された、充電コントローラと
を備える、充電デバイスと
を備えてなる、オートクレーブ可能バッテリを充電するシステム。
（請求項３３）
前記バッテリは、該バッテリの特徴を示す視覚インジケータを備える、請求項３２に記載のシステム。
（請求項３４）
前記容器の一部は、前記バッテリが該容器内に配置され、かつ、該容器が、微生物が入らないように密閉されたままであるとき、前記視覚インジケータが、前記容器の前記一部を通して可視であるのを可能にするように、少なくとも部分的に透明である、請求項３３に記載のシステム。
（請求項３５）
第１のオートクレーブ可能容器及び第２のオートクレーブ可能容器であって、該第１の容器及び該第２の容器の各々は、
複数のレセプタクルであって、各レセプタクルはバッテリを受け入れるような形状である、複数のレセプタクルと、
複数の突出部であって、各突出部は対応するレセプタクルと位置合わせされる、複数の突出部と
を備え、
前記第１の容器におけるレセプタクルの数及び対応する突出部の数は、前記第２の容器におけるレセプタクルの数及び対応する突出部の数より多い、第１の容器及び第２の容器と、
充電デバイスであって、
複数の充電ベイであって、各充電ベイは、前記第１の容器又は前記第２の容器の突出部を受け入れるような形状であり、前記複数の充電ベイは、複数の行及び複数の列で配置されており、列の数は前記第１の容器におけるレセプタクルの前記数に対応し、行の数は前記第２の容器におけるレセプタクルの前記数に対応し、
前記充電ベイの各々は、レセプタクル内に配置された前記バッテリに充電電力を提供するように構成されたアンテナを備える、複数の充電ベイと、
前記アンテナを介して前記レセプタクル内に配置された前記バッテリに充電電力を提供するように構成された充電コントローラと
を備える、充電デバイスと
を備えてなる、オートクレーブ可能バッテリを充電するシステム。